(57)【特許請求の範囲】
【請求項１】
内部にキャビティを有する本体と、
前記本体の上面に形成された弧状のノッチ部によって区切られている密閉部材と、
前記ノッチ部と近接した密閉部材に形成されている指貫部と、
前記密閉部材に形成され前記本体の前記ノッチ部の破損時に前記密閉部材が波状にベンディングされる波形部と、
を備えることを特徴とする缶。
【請求項２】
前記指貫部と隣接した位置に前記指貫部のベンディング時に前記ノッチ部を初期破損させるための初期破断部を備えることを特徴とする請求項１に記載の缶。
【請求項３】
前記初期破断部は、前記指貫部と前記密閉部材との境界部位で前記指貫部の外周面が前記ノッチ部の側に折曲げられて形成されることを特徴とする請求項１に記載の缶。
【請求項４】
前記初期破断部と隣接して配置されるノッチ部は、隣接するノッチ部より深く形成されていることを特徴とする請求項３に記載の缶。
【請求項５】
前記指貫部の周りの密閉部材が段状をなして形成される支持屈曲部を備えることを特徴とする請求項１に記載の缶。
【請求項６】
前記ノッチ部と隣接した本体の上面に飲料の流れ案内部が形成されていることを特徴とする請求項１に記載の缶。
【請求項７】
飲料を収容するキャビティを有する本体と、
前記本体の上面に形成された弧状のノッチ部によって区切られ、段状をなして形成された支持屈曲部を境界として第１傾斜部及び第２傾斜部を有する密閉部材と、
前記ノッチ部と隣接した支持屈曲部が中央部に垂直に配置されるよう前記密閉部材に形成されている指貫部と、
前記第２傾斜部に形成され前記ノッチ部の破損時に波状に折曲げられる波形部と、
前記指貫部のベンディング時に前記ノッチ部を初期破損させるため前記指貫部と前記ノッチ部との隣接部位に形成されている初期破損部と、
を備えることを特徴とする缶。
【請求項８】
前記第１傾斜部及び前記第２傾斜部の縁部と前記本体の上面との間にスカート部が形成されていることを特徴とする請求項７に記載の缶。
【請求項９】
前記本体の上面のノッチ部に飲料の流れ案内部が形成されていることを特徴とする請求項７に記載の缶。
【請求項１０】
飲料を収容するキャビティを有する本体と、
前記本体の上面に形成された環状のノッチ部によって区切られている密閉部材と、
前記ノッチ部と隣接した密閉部材に形成されている突出タブと、
前記突出タブの周りに形成され前記突出タブの折曲による前記ノッチ部の破断時に皺が形成される波形部と、
を備えることを特徴とする缶。
【請求項１１】
前記突出タブのベンディング時に前記ノッチ部を破損させるため前記突出タブから前記ノッチ部の側に形成されている初期破断部を備えることを特徴とする請求項１０に記載の缶。
【請求項１２】
前記ノッチ部の周りの上面に飲料の流れ案内部を備えることを特徴とする請求項１０に記載の缶。
【発明の詳細な説明】
【０００１】
（発明の属する技術分野）
本発明は主に飲料を入れて流通させるための缶に関し、特に飲料の注出口の開封構造が改善された缶に関する。
【０００２】
（発明の背景）
アルコール、健康飲料及び炭酸飲料は飲み易いように各種の飲料容器に入れられて販売されているが、このような容器のほとんどはアルコールまたは飲料を収容するキャビティと、このキャビティの入口が形成された本体と、この本体の入口を開閉する密閉部材とを含む。
【０００３】
図１には、このような容器のうち缶の一例を示した。
図に示したように、缶１０は、キャビティ１１を備え、アルミニウム等より作られた本体１２と、前記本体１２の上面のノッチ部１３により区切られ、前記キャビティ１１の入口を密封する密閉部材１４と、前記密閉部材１４の一側にリベット結合または溶接され回動時に前記ノッチ部１３の一部を破損させて本体１２から密閉部材１４を分離するための輪状オープナ１５とを含む。
【０００４】
前述したように構成された缶１０は、輪状オープナ１５が本体１２の上面に密着しており、輪状オープナ１５の初期回動時に密封部材と本体とを連結するノッチ部１３が破損するので、輪状オープナ１５を回動させるための大きな初期回動力が必要である。したがって、老人や力の弱い者や子供が前記オープナ１５を回動させるのが難しいだけでなく、女性にとっては、前記オープナ１５を回動させる過程で長いつめが損傷するという問題点がある。
【０００５】
また缶は、ノッチ部により区切られた密閉部材が占める面積が小さいので、輪状オープナ１５と密閉部材とが本体から完全に分離されることによって消失する場合が多く、貴重な資源をリサイクルできない。
【０００６】
本発明は前記の問題点を解決するためのものであって、本発明の目的は、小さな力で本体から密閉部材を切開でき、本体から密閉部材を完全に分離させないことによって資源のリサイクルを可能にする缶を提供することにある。
本発明の他の目的は、構造が簡単で生産性の向上を図りうる缶を提供することにある。
【０００７】
（発明の開示）
前記目的を達成するために本発明の缶は、内部にキャビティを有する本体と、前記本体の上面に形成された弧状のノッチ部によって区切られている密閉部材と、前記ノッチ部と近接した密閉部材に形成された指貫部と、前記密閉部材に形成され本体の前記ノッチ部の破損時に密閉部材が波状にベンディングされる波形部とを備えることを特徴とする。
本発明において、前記指貫部と隣接したノッチ部には、ノッチが相対的に深い初期破断部を含む。前記指貫部の周りに密閉部材が段状をなして支持屈曲部が形成され、前記波形部が形成された部位の密閉部材の後端部が指貫部側に傾いて形成される。
【０００８】
前記目的を達成するために本発明の他の缶の特徴は、飲料を収容するキャビティを有する本体と、この本体の上面に形成された弧状のノッチ部によって区切られ、段状をなして形成された支持屈曲部を境界として第１傾斜部及び第２傾斜部を有する密閉部材と、ノッチ部と隣接して位置する支持屈曲部がその中央部に垂直に位置するように密閉部材に形成されている指貫部と、前記第２傾斜部に形成されノッチ部の破損時に波状に折曲げられる波形部と、指貫部のベンディング時にノッチ部を初期破損させるため指貫部とノッチ部との隣接した部位に形成されている初期破損部とを備える。
本発明において、前記第１、２傾斜部の縁部と本体の上面との間にスカート部が形成され、ノッチ部の本体の上面に飲料の流れ案内部が形成される。
【０００９】
前記目的を達成するために本発明のさらに他の缶の特徴は、飲料を収容するキャビティを有する本体と、本体の上面に形成された環状のノッチ部によって区切られている密閉部材と、ノッチ部と隣接した密閉部材に形成された突出タブと、前記突出タブの周りに形成され前記突出タブの折曲によるノッチ部の破損時に折曲げられる波形部とを備える。
【００１０】
前記目的を達成するために本発明のさらに他の缶の特徴は、飲料を収容するキャビティを有する本体と、本体の上面に形成された環状のノッチ部によって区切られている密閉部材と、密閉部材に形成されている少なくとも一対の突出タブと、突出タブの間に形成された境界ノッチ部とを備える。
【００１１】
そして、前記目的を達成するために本発明のさらに他の缶の特徴は、飲料を収容するキャビティを有する本体と、本体の上面に環状に形成されたビーディング部の中央に位置する突出タブと、突出タブの周りに沿って形成された中央ノッチ部と、前記中央ノッチ部と連結され、切開時に本体の上面に開口を形成する環形ノッチ部とを備える。
【００１２】
前記目的を達成するために本発明のさらに他の缶の特徴は、飲料を収容するキャビティを有する本体と、本体の上面に環状にビーディングされて形成された突出部位が圧着されて形成される圧着タブと、前記圧着タブの周りに形成された中央ノッチ部と、中央ノッチ部と連結され、所定の間隔で離されて本体の上面に開口を形成する環形ノッチ部とを備える。
【００１３】
（発明の最良の実施例）
以下、添付した図面を参照しつつ本発明の望ましい実施例を詳細に説明する。
図２は、本発明の第１実施例による缶を示す斜視図であり、図３は、図２に示したＡ−Ａ線の断面図である。
【００１４】
図に示したように、缶２０は、内部にキャビティ２１を有する本体２２の上面２３に弧状または環状のノッチ部２４が形成されて区切られている密閉部材３０を含む。前記密閉部材３０には支持屈曲部３１を境界として第１、２傾斜部３２、３３が形成される。本体の上面２３と密閉部材３０の第１、２傾斜部３２、３３との間にはスカート部２５が形成される。前記密閉部材３０には支持屈曲部３１の中央部に指貫部３４が垂直に位置するように形成され、前記第２傾斜部には、指貫部３４のベンディング時にノッチ部２４が破損することによって密閉部材の第２傾斜部３３を波形に折曲げる波形部３５が形成される。ここで前記指貫部と３４と波形部３５は、密閉部材３０がビーディング加工されることによって形成される。そして、前記ノッチ部２４と隣接した指貫部３４には、指貫部３４のベンディング時にノッチ部の一部を初期破損させる初期破断部３６を含む。前記初期破断部３６は、指貫部３４からノッチ部２４側に鋭く突出して形成される。そして前記初期破断部３６と近接したノッチ部２４は周囲のノッチ部より深く形成することが望ましい。本体の上面２３とノッチ部２４は、指貫部３４から波形部３５側に所定の角度で傾くように形成することが望ましい。
【００１５】
一方、本体の上面２３のノッチ部の周囲には本体２２の上面がビーディング加工されて突出し飲料の流れ案内部２６が形成されるが、飲料の流れ案内部の形状は本実施例により限定されずに多様な形態に変形可能である。また本実施例において、本体の上面にノッチ部で区切られることによって形成される密閉部材の大きさは本体の上面の領域で任意に調整できる。
【００１６】
前述したように構成された本発明の第１実施例による缶２０の作用を説明すれば次の通りである。
先ず、キャビティ２１に貯蔵された飲料を飲むためには、指を指貫部３４に挿入し、この指貫部３４を波形部３５側に押さえる。こうすれば、図４Ａから図４Ｄに示したように、指貫部３４は支持屈曲部３１を基準として曲げモーメントが作用し波形部３５側に回動する。したがって、指貫部３４に形成された初期破断部３６によりノッチ部２４の一部が微細開封される。この状態で、指貫部３４にさらに力を加えれば、ノッチ部２４が切開されつつ容器のキャビティ２１は開き、波形部３５はベンディングされる。ここで前記波形部３５は、密閉部材３０の第２傾斜部に形成されているので、波形部３５のベンディングが小さい力で円滑になされる。
【００１７】
前記のように、本体２２のキャビティ２１が開けば飲料を注ぐことができるが、開いた開口の周囲には飲料の流れ案内部２６が形成されているので、図５に示したように飲料が本体２２の外郭角部に付着しない。
図６は、本発明の第２実施例による缶の平面図であり、図７は、図６に示されたＢ−Ｂ線の断面図である。
図に示したように、缶は、本体２２の上面２３に弧状または環状のノッチ部２４が形成されて区切られている密閉部材４０と、前記ノッチ部２４と隣接した密閉部材４０に形成されている突出タブ４１と、前記突出タブ４１の周囲に前記突出タブ４１の回動でノッチ部が折曲げられることにより折曲げられる波形部４２とを含む。前記突出タブ４１と波形部４２は、密閉部材４０がビーディング加工されて形成され、密閉部材４０と一体に形成される。そして前記突出タブ４１には、突出タブ４１の回動時にノッチ部の破損を初期誘導する初期破断部４３が形成され、前記ノッチ部２４の周囲の本体の上面には飲料の流れ案内部４４が形成される。前記初期破断部４３と飲料の流れ案内部４４の構成は前記実施例と同一であるので説明は省略する。
【００１８】
前記のように構成された缶は、突出タブ４１を波形部４２側に横たえれば、一体に形成された初期破断部４３によりノッチ部が初期切開される。この状態で突出タブ４１に波形部４２方向に外力を加えれば、波形部４２がベンディングされつつキャビティが開いてキャビティに貯蔵された飲料を飲むことができる。
【００１９】
図８は、本発明の第３実施例による缶の平面図であり、図９は、図８に示したＣ−Ｃ線の断面図である。
図に示したように、缶は、本体２２の上面２３に弧状または環状のノッチ部２４が形成されて区切られている密閉部材５０に少なくとも一対の突出タブ５１、５２が形成され、この突出タブ５１、５２の間には境界ノッチ部２４ａが形成される。前記突出タブ５１、５２の相互に対向する側には、突出タブ５１、５２のベンディング時に境界ノッチ部を初期破損して切開させる初期破断部５３をさらに備える。
【００２０】
前記のように構成された缶は、突出タブ５１、５２を指で強く押さえれば、突出タブ５１、５２が相互に対向する側に横たわりつつ境界ノッチ部２４ａが破断されて切開されることによって、本体のキャビティ２１が開いてキャビティに貯蔵された飲料を飲むことができる。
【００２１】
図１０は、本発明の第４実施例による缶の平面図であり、図１１は、缶容器のキャビティが開いた状態を示す斜視図である。
図に示したように、缶は、飲料を収容するキャビティ２１を有する本体２２の上面に環状のビーディング部６１が形成され、このビーディング部６１の中央部には中央ノッチ部２４ｂにより区切られた少なくとも一つの突出タブ６２が形成される。そして前記本体２２の上面には、中央ノッチ部２４ｂと連結され、所定の間隔で離され、前記本体の上面のノッチ部が切開されることによって開口を形成する環形ノッチ部２４ｃが形成される。前記突出タブ６２には前述したような初期破断部６３がさらに備えられる。
【００２２】
前述したように構成された缶は、突出タブを一側に横たえて中央ノッチ部２４ｂを切開させ、切開された突出タブ６２を引っ張って環形ノッチ部２４ｃを切開させる。ここで前記環形ノッチ部２４ｃは、開口を有する閉曲線をなすように形成されているので、環形ノッチ部２４ｃが切開されれば本体２２の上面２３の一部が切開される。この状態で、切開された上面を本体のキャビティ側に押し込め、キャビティを開閉する。
【００２３】
図１２は、本発明の第５実施例による缶の平面図であり、図１３は、図１２のＤ−Ｄ線の断面図である。
図に示したように、缶は、飲料を収容するキャビティ２１を有する本体２２の上面に上面が環状にビーディングされて圧着成形された圧着タブ７１が形成される。この圧着タブ７１は、本体の基部から所定長さに伸びた延長部７２を有することが望ましい。そして本体の上面の圧着タブ７１の基部周囲には中央ノッチ部２４ｄが形成され、本体の上面には中央ノッチ部と連結され切開されることによって開口を形成する環形ノッチ部２４ｅが形成される。前記圧着タブ７１には前述したような初期破断部７２がさらに備えられる。
【００２４】
前述したように構成された缶は、圧着タブ７１を回動させて中央ノッチ部２４ｄを切開させ、中央ノッチ部２４ｄが切開されることによって分離された圧着タブ７１を引っ張って環形ノッチ部２４ｅを切開させる。ここで、前記環形ノッチ部２４ｅは、開口を有する閉曲線をなすように形成されているので、環形ノッチ部２４ｅが切開されれば本体２２の上面２３の一部が切開される。この状態で切開された上面を本体のキャビティ側に押し込めてキャビティを開閉する。
【００２５】
（産業上の利用可能性）
前述したように構成された本発明の缶は次のような効果を有する。
第一に、本体の上面に指貫部、突出タブおよび圧着タブを形成し、小さい力でこれらを回動させることによってノッチ部を破損させ、密閉部材に形成された波形部をベンディングさせることによってキャビティを開くことができる。
【００２６】
第二に、指貫部が指を保護することによって従来のようにタブを回動させる時に生じるつめの損傷が防止できる。
第三に、キャビティの開口を大きくすることができ、キャビティ内の飲料の流れを円滑にでき、開閉された外郭に飲料の流れ案内部が形成されて飲料が本体角部に付着しないようにすることによって、衛生的な状態が維持できる。
第四に、従来と異なり本体の上面に容器のキャビティを開くための小さな輪（タブオープナ）が不要になるので、構造が簡単で生産性の向上を図ることができる。
【００２７】
本発明は、図面に示した実施例を参考にして説明したが、これは例示的なものに過ぎず、当該分野で通常の知識を有する者であれば、これより多様な変形ならびに均等な他の実施例が可能であるという点が理解できる。したがって、本発明の真の技術的保護範囲は特許請求の範囲に限って決定されなければならない。
【図面の簡単な説明】
図１は従来の缶を一部切断した状態を示す斜視図である。
図２は本発明の第１実施例による缶を示す斜視図である。
図３は図２に示したＡ−Ａ線の断面図である。
図４Ａないし図４Ｄは、本発明の第１実施例による缶において、指貫部および波形部がベンディングされつつ密閉部材が本体から分離される状態を示す断面図である。
図５は本発明の第１実施例による缶において、飲料の流れ案内部の作用を示す断面図である。
図６は本発明の第２実施例による缶を示す平面図である。
図７は図６に示したＢ−Ｂ線の断面図である。
図８は本発明の第３実施例による缶を示す平面図である。
図９は図８に示したＣ−Ｃ線の断面図である。
図１０は本発明の第４実施例による缶を示す平面図である。
図１１は本発明の第４実施例による缶の使用状態を示す斜視図である。
図１２は本発明の第５実施例による缶を示す平面図である。
図１３は図１２に示したＤ−Ｄ線の断面図である。
（符号の説明）
２１  キャビティ
２２  本体
２４  ノッチ部
３０  密閉部材
３４  指貫部
３５  波形部
２０  缶
【図１】
0003624835.tif 000002
【図２】
0003624835.tif 000003
【図３】
0003624835.tif 000004
【図４ａ】
0003624835.tif 000005
【図４ｂ】
0003624835.tif 000006
【図４ｃ】
0003624835.tif 000007
【図４ｄ】
0003624835.tif 000008
【図５】
0003624835.tif 000009
【図６】
0003624835.tif 000010
【図７】
0003624835.tif 000011
【図８】
0003624835.tif 000012
【図９】
0003624835.tif 000013
【図１０】
0003624835.tif 000014
【図１１】
0003624835.tif 000015
【図１２】
0003624835.tif 000016
【図１３】
0003624835.tif 000017